【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
撮影の条件を判定する判定手段と、
前記撮像手段により撮像された画像データ内にある顔を検出する第１の顔検出手段と、
前記撮像手段により撮像された画像データ内にある顔が誰なのかを認識する個人認識手段と、
前記判定手段による判定結果に基づいて、前記第１の顔検出手段による検出の実行及び前記個人認識手段による認識の実行の少なくとも何れか一方を制御する制御手段と、
を備えたことを特徴とする撮像装置。
【請求項２】
前記制御手段は、前記個人認識手段による認識の実行を制御する場合は、前記判定手段による判定結果に基づいて、前記個人認識手段による認識の実行、非実行を制御することを特徴とする請求項１に記載の撮像装置。
【請求項３】
前記個人認識手段により認識された顔の画像データに基づいて前記撮像手段により撮像された画像データ内のどこに顔が移動したかを検出する第２の顔検出手段を備え、
前記制御手段は、
前記判定手段による判定結果に基づいて、前記個人認識手段による認識を終了させて前記第２の顔検出手段を実行させるように制御することを特徴とする請求項２記載の撮像装置。
【請求項４】
前記制御手段は、
前記第１の顔認識手段による検出の実行を制御する場合は、前記判定手段による判定結果に基づいて、前記第１の顔検出手段による検出の精度を変え、
前記個人認識手段による認識の実行を制御する場合は、前記判定手段による判定結果に基づいて、前記個人認識手段による認識の精度の高さを変えることを特徴とする請求項１乃至３の何れかに記載の撮像装置。
【請求項５】
前記制御手段は、
前記第１の顔認識手段による検出の実行を制御する場合は、前記判定手段による判定結果に基づいて、検出する顔のパーツの数を変えることにより、前記第１の顔検出手段による検出の精度を変え、
前記個人認識手段による認識の実行を制御する場合は、前記判定手段による判定結果に基づいて、前記個人認識手段による認識の精度の高さを変えることを特徴とする請求項４記載の撮像装置。
【請求項６】
前記個人認識手段は、
前記第１の顔検出手段により検出された顔のパーツの特徴点を抽出することにより、該顔が誰なのかを認識し、
前記制御手段は、
前記判定手段による判定結果に基づいて、特徴点を抽出する顔のパーツの数及び抽出する特徴点の数の少なくとも何れか一方を変えることにより、前記第１の顔検出手段による検出の精度及び前記個人認識手段による認識の精度の高さの少なくとも何れか一方を変えることを特徴とする請求項４記載の撮像装置。
【請求項７】
前記制御手段は、
前記判定手段による判定結果に基づいて、前記第１の顔検出手段により検出される顔の数及び前記個人認識手段により認識される顔の数の少なくともいずれか一方を変えることにより、該第１の顔検出手段による検出の精度及び個人認識手段による認識の精度の少なくとも何れか一方を変えることを特徴とする請求項４記載の撮像装置。
【請求項８】
撮影の種類を設定する設定手段を備え、
前記判定手段は、
前記設定手段により設定された撮影の種類に基づいて、撮影の条件を判定することを特徴とする請求項１乃至７の何れかに記載の撮像装置。
【請求項９】
前記設定手段は、
撮影の種類として、スルー画像撮影、動画撮影、被写体追従撮影、連写撮影、単写撮影のうち、何れか１つの種類を設定することを特徴とする請求項８記載の撮像装置。
【請求項１０】
撮影条件を設定する撮影条件設定手段を備え、
前記判定手段は、
前記撮影条件設定手段により設定された撮影条件に基づいて、撮影の条件を判定することを特徴とする請求項１乃至９の何れかに記載の撮像装置。
【請求項１１】
前記撮影条件設定手段は、
動画撮像のフレームレート、動画撮像のシャッタ速度、連写速度、記録画像サイズ、ストロボ発光か否かのうち、１つ以上の撮影条件を設定することを特徴とする請求項１０記載の撮像装置。
【請求項１２】
前記判定手段は、
被写体に追従してＡＦ処理を行っているか否かに基づいて、撮影の条件を判定することを特徴する請求項１乃至１１の何れかに記載の撮像装置。
【請求項１３】
前記撮像手段により撮像された画像データを表示手段に表示させる表示制御手段を備えることを特徴とする請求項１乃至１２の何れかに記載の撮像装置。
【請求項１４】
前記表示制御手段は、
前記第１の顔検出手段により検出された顔を区別表示させることを特徴とする請求項１３記載の撮像装置。
【請求項１５】
前記表示制御手段は、
前記個人認識手段により認識された顔を差別表示させることを特徴とする請求項１３又は１４記載の撮像装置。
【請求項１６】
被写体に対してオートフォーカスを行なうオートフォーカス制御手段を備え、
前記オートフォーカス制御手段は、
前記個人認識手段により誰の顔か認識された場合は、認識された顔にピントが合うようにオートフォーカスを行ない、該個人認識手段により誰の顔が認識されなかった場合は、前記第１の顔検出手段により検出された顔にピントが合うようにオートフォーカスを行なうことを特徴とする請求項１乃至１５の何れかに記載の撮像装置。
【請求項１７】
露出条件を設定する露出条件設定手段を備え、
前記露出条件設定手段は、
前記個人認識手段により誰の顔か認識された場合は、認識された顔を重点に露出条件を設定し、該個人認識手段により誰の顔が認識されなかった場合は、前記第１の顔検出手段により検出された顔を重点に露出条件を設定することを特徴とする請求項１乃至１６の何れかに記載の撮像装置。
【請求項１８】
被写体を撮像する撮像処理と、
撮影の条件を判定する判定処理と、
前記撮像処理により撮像された画像データに基づいて、顔を検出する顔検出処理と、
前記撮像処理により撮像された画像データ内にある顔が誰なのかを認識する個人認識処、
前記判定処理による判定結果に基づいて、前記検出処理による検出の実行及び前記個人認識処理による認識の実行の少なくとも何れか一方を制御する制御処理と、
を含み、上記各処理をコンピュータで実行させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、被写体を撮像する撮像手段と、
撮影の条件を判定する判定手段と、
前記撮像手段により撮像された画像データ内にある顔を検出する第１の顔検出手段と、
前記撮像手段により撮像された画像データ内にある顔が誰なのかを認識する個人認識手段と、
前記判定手段による判定結果に基づいて、前記第１の顔検出手段による検出の実行及び前記個人認識手段による認識の実行の少なくとも何れか一方を制御する制御手段と、
を備えたことを特徴とする。
【手続補正３】
【補正対象書類名】明細書
【補正対象項目名】０００７
【補正方法】変更
【補正の内容】
【０００７】
また、例えば、請求項２に記載されているように、前記制御手段は、前記個人認識手段による認識の実行を制御する場合は、前記判定手段による判定結果に基づいて、前記個人認識手段による認識の実行、非実行を制御するようにしてもよい。
【手続補正４】
【補正対象書類名】明細書
【補正対象項目名】０００８
【補正方法】変更
【補正の内容】
【０００８】
また、例えば、請求項３に記載されているように、前記個人認識手段により認識された顔の画像データに基づいて前記撮像手段により撮像された画像データ内のどこに顔が移動したかを検出する第２の顔検出手段を備え、
前記制御手段は、
前記判定手段による判定結果に基づいて、前記個人認識手段による認識を終了させて前記第２の顔検出手段を実行させるように制御するようにしてもよい。
【手続補正５】
【補正対象書類名】明細書
【補正対象項目名】０００９
【補正方法】変更
【補正の内容】
【０００９】
また、例えば、請求項４に記載されているように、前記制御手段は、
前記第１の顔認識手段による検出の実行を制御する場合は、前記判定手段による判定結果に基づいて、前記第１の顔検出手段による検出の精度を変え、
前記個人認識手段による認識の実行を制御する場合は、前記判定手段による判定結果に基づいて、前記個人認識手段による認識の精度の高さを変えるようにしてもよい。
【手続補正６】
【補正対象書類名】明細書
【補正対象項目名】００１０
【補正方法】変更
【補正の内容】
【００１０】
また、例えば、請求項５に記載されているように、前記制御手段は、
前記第１の顔認識手段による検出の実行を制御する場合は、前記判定手段による判定結果に基づいて、検出する顔のパーツの数を変えることにより、前記第１の顔検出手段による検出の精度を変え、
前記個人認識手段による認識の実行を制御する場合は、前記判定手段による判定結果に基づいて、前記個人認識手段による認識の精度の高さを変えるようにしてもよい。
【手続補正７】
【補正対象書類名】明細書
【補正対象項目名】００１１
【補正方法】変更
【補正の内容】
【００１１】
また、例えば、請求項６に記載されているように、前記個人認識手段は、
前記第１の顔検出手段により検出された顔のパーツの特徴点を抽出することにより、該顔が誰なのかを認識し、
前記制御手段は、
前記判定手段による判定結果に基づいて、特徴点を抽出する顔のパーツの数及び抽出する特徴点の数の少なくとも何れか一方を変えることにより、前記第１の顔検出手段による検出の精度及び前記個人認識手段による認識の精度の高さの少なくとも何れか一方を変えるようにしてもよい。
【手続補正８】
【補正対象書類名】明細書
【補正対象項目名】００１２
【補正方法】変更
【補正の内容】
【００１２】
また、例えば、請求項７に記載されているように、前記制御手段は、
前記判定手段による判定結果に基づいて、前記第１の顔検出手段により検出される顔の数及び前記個人認識手段により認識される顔の数の少なくともいずれか一方を変えることにより、該第１の顔検出手段による検出の精度及び個人認識手段による認識の精度の少なくとも何れか一方を変えるようにしてもよい。
【手続補正９】
【補正対象書類名】明細書
【補正対象項目名】００１３
【補正方法】変更
【補正の内容】
【００１３】
また、例えば、請求項８に記載されているように、撮影の種類を設定する設定手段を備え、
前記判定手段は、
前記設定手段により設定された撮影の種類に基づいて、撮影の条件を判定するようにしてもよい。
【手続補正１０】
【補正対象書類名】明細書
【補正対象項目名】００１４
【補正方法】変更
【補正の内容】
【００１４】
また、例えば、請求項９に記載されているように、前記設定手段は、
撮影の種類として、スルー画像撮影、動画撮影、被写体追従撮影、連写撮影、単写撮影のうち、何れか１つの種類を設定するようにしてもよい。
【手続補正１１】
【補正対象書類名】明細書
【補正対象項目名】００１５
【補正方法】変更
【補正の内容】
【００１５】
また、例えば、請求項１０に記載されているように、撮影条件を設定する撮影条件設定手段を備え、
前記判定手段は、
前記撮影条件設定手段により設定された撮影条件に基づいて、撮影の条件を判定するようにしてもよい。
【手続補正１２】
【補正対象書類名】明細書
【補正対象項目名】００１６
【補正方法】変更
【補正の内容】
【００１６】
また、例えば、請求項１１に記載されているように、前記撮影条件設定手段は、
動画撮像のフレームレート、動画撮像のシャッタ速度、連写速度、記録画像サイズ、ストロボ発光か否かのうち、１つ以上の撮影条件を設定するようにしてもよい。
【手続補正１３】
【補正対象書類名】明細書
【補正対象項目名】００１７
【補正方法】変更
【補正の内容】
【００１７】
また、例えば、請求項１２に記載されているように、前記判定手段は、
被写体に追従してＡＦ処理を行っているか否かに基づいて、撮影の条件を判定するようにしてもよい。
【手続補正１４】
【補正対象書類名】明細書
【補正対象項目名】００２３
【補正方法】変更
【補正の内容】
【００２３】
上記目的達成のため、請求項１８記載の発明によるプログラムは、被写体を撮像する撮像処理と、
撮影の条件を判定する判定処理と、
前記撮像処理により撮像された画像データに基づいて、顔を検出する顔検出処理と、
前記撮像処理により撮像された画像データ内にある顔が誰なのかを認識する個人認識処理と、
前記判定処理による判定結果に基づいて、前記検出処理による検出の実行及び前記個人認識処理による認識の実行の少なくとも何れか一方を制御する制御処理と、
を含み、上記各処理をコンピュータで実行させることを特徴とする。